(57)【特許請求の範囲】
【請求項１】
第１圧縮機（41）、第２圧縮機（42）、室外熱交換器（23）、及び室内熱交換器（81）が設けられた冷媒回路（15）で冷媒を循環させて冷凍サイクルを行い、
第１圧縮機（41）だけで冷媒を圧縮して単段圧縮冷凍サイクルを行う冷房運転と、第１圧縮機（41）だけで冷媒を圧縮して単段圧縮冷凍サイクルを行う第１暖房運転と、第２圧縮機（42）で圧縮した冷媒を第１圧縮機（41）で更に圧縮して二段圧縮冷凍サイクルを行う第２暖房運転とを相互に切り換えるための切換機構（100）を備える空気調和装置であって、
上記切換機構（100）は、第１切換弁（21）、第２切換弁（22）、及び切換用逆止弁（93）によって構成される一方、
上記第１切換弁（21）は、第１のポートと第３のポートが連通し且つ第２のポートと第４のポートが連通する冷房用状態と第１のポートと第４のポートが連通し且つ第２のポートと第３のポートが連通する暖房用状態とに切り換わる四方切換弁であって、第１のポートが第１圧縮機（41）の吸入側に、第２のポートが第１圧縮機（41）の吐出側に、第３のポートが室内熱交換器（81）に、第４のポートが第２圧縮機（42）の吐出側及び室外熱交換器（23）にそれぞれ接続され、
上記第２切換弁（22）は、室外熱交換器（23）を第１圧縮機（41）の吐出側に連通させて第２圧縮機（42）の吸入側から遮断する冷房用状態と、室外熱交換器（23）を第１圧縮機（41）の吐出側から遮断して第２圧縮機（42）の吸入側に連通させる暖房用状態とに切り換わり、
上記切換用逆止弁（93）は、第１切換弁（21）の第４のポートと室外熱交換器（23）を接続する配管（35）に設けられて、室外熱交換器（23）から第１切換弁（21）へ向かう冷媒の流通だけを許容しており、
上記冷房運転中には、上記第１圧縮機（41）が運転されて上記第２圧縮機（42）が休止し、上記第１切換弁（21）及び第２切換弁（22）のそれぞれが冷房用状態に設定され、上記切換用逆止弁（93）が閉塞状態となっていて、上記第１圧縮機（41）から吐出された冷媒が第２切換弁（22）を通って室外熱交換器（23）へ流入すると共に、上記室内熱交換器（81）で蒸発した冷媒が第１切換弁（21）を通って第１圧縮機（41）へ吸入され、
上記第１暖房運転中には、上記第１圧縮機（41）が運転されて上記第２圧縮機（42）が休止し、上記第１切換弁（21）及び第２切換弁（22）のそれぞれが暖房用状態に設定され、上記切換用逆止弁（93）が連通状態となっていて、上記第１圧縮機（41）から吐出された冷媒が第１切換弁（21）を通って室内熱交換器（81）へ流入すると共に、上記室外熱交換器（23）で蒸発した冷媒が切換用逆止弁（93）を通って第１圧縮機（41）へ吸入され、
上記第２暖房運転中には、上記第１圧縮機（41）及び第２圧縮機（42）が運転され、上記第１切換弁（21）及び第２切換弁（22）のそれぞれが暖房用状態に設定され、上記切換用逆止弁（93）が閉塞状態となっていて、上記第１圧縮機（41）から吐出された冷媒が第１切換弁（21）を通って室内熱交換器（81）へ流入し、上記室外熱交換器（23）で蒸発した冷媒が第２切換弁（22）を通って第２圧縮機（42）へ吸入され、上記第２圧縮機（42）から吐出された冷媒が第１切換弁（21）を通って第１圧縮機（41）へ吸入される空気調和装置。
【請求項２】
第１圧縮機（41）、第２圧縮機（42）、室外熱交換器（23）、及び室内熱交換器（81）が設けられた冷媒回路（15）で冷媒を循環させて冷凍サイクルを行い、
第１圧縮機（41）だけで冷媒を圧縮して単段圧縮冷凍サイクルを行う冷房運転と、第１圧縮機（41）だけで冷媒を圧縮して単段圧縮冷凍サイクルを行う第１暖房運転と、第２圧縮機（42）で圧縮した冷媒を第１圧縮機（41）で更に圧縮して二段圧縮冷凍サイクルを行う第２暖房運転とを相互に切り換えるための切換機構（100）を備える空気調和装置であって、
上記切換機構（100）は、第１切換弁（21）、第２切換弁（22）、及び切換用逆止弁（95）によって構成される一方、
上記第１切換弁（21）は、第１のポートと第３のポートが連通し且つ第２のポートと第４のポートが連通する冷房用状態と第１のポートと第４のポートが連通し且つ第２のポートと第３のポートが連通する暖房用状態とに切り換わる四方切換弁であって、第１のポートが第１圧縮機（41）の吸入側に、第２のポートが第１圧縮機（41）の吐出側に、第３のポートが室内熱交換器（81）に、第４のポートが室外熱交換器（23）にそれぞれ接続され、
上記第２切換弁（22）は、室外熱交換器（23）を第１圧縮機（41）の吐出側に連通させて第２圧縮機（42）の吸入側から遮断する冷房用状態と、室外熱交換器（23）を第１圧縮機（41）の吐出側から遮断して第２圧縮機（42）の吸入側に連通させる暖房用状態とに切り換わり、
上記切換用逆止弁（95）は、第１切換弁（21）の第１のポートと第１圧縮機（41）の吸入側を接続する吸入管（43）に設けられ、第１切換弁（21）の第１のポートから第１圧縮機（41）の吸入側へ向かう冷媒の流通だけを許容しており、
上記冷媒回路（15）には、上記吸入管（43）における切換用逆止弁（95）の下流側と第２圧縮機（42）の吐出側を接続する吐出管（46）が設けられており、
上記冷房運転中には、上記第１圧縮機（41）が運転されて上記第２圧縮機（42）が休止し、上記第１切換弁（21）及び第２切換弁（22）のそれぞれが冷房用状態に設定され、上記切換用逆止弁（95）が連通状態となっていて、上記第１圧縮機（41）から吐出された冷媒が第１切換弁（21）を通って室外熱交換器（23）へ流入すると共に、上記室内熱交換器（81）で蒸発した冷媒が第１切換弁（21）及び切換用逆止弁（95）を通って第１圧縮機（41）へ吸入され、
上記第１暖房運転中には、上記第１圧縮機（41）が運転されて上記第２圧縮機（42）が休止し、上記第１切換弁（21）及び第２切換弁（22）のそれぞれが暖房用状態に設定され、上記切換用逆止弁（95）が連通状態となっていて、上記第１圧縮機（41）から吐出された冷媒が第１切換弁（21）を通って室内熱交換器（81）へ流入すると共に、上記室外熱交換器（23）で蒸発した冷媒が第１切換弁（21）及び切換用逆止弁（93）を通って第１圧縮機（41）へ吸入され、
上記第２暖房運転中には、上記第１圧縮機（41）及び第２圧縮機（42）が運転され、上記第１切換弁（21）及び第２切換弁（22）のそれぞれが暖房用状態に設定され、上記切換用逆止弁（95）が閉塞状態となっていて、上記第１圧縮機（41）から吐出された冷媒が第１切換弁（21）を通って室内熱交換器（81）へ流入し、上記室外熱交換器（23）で蒸発した冷媒が第２切換弁（22）を通って第２圧縮機（42）へ吸入され、上記第２圧縮機（42）から吐出された冷媒が吐出管（46）及び吸入管（43）を通って第１圧縮機（41）へ吸入される空気調和装置。
【請求項３】
請求項１又は２記載の空気調和装置において、
室外熱交換器（23）に付着した霜を融かすために第１圧縮機（41）だけで冷媒を圧縮して単段圧縮冷凍サイクルを行うデフロスト運転が可能となっており、
上記デフロスト運転中には、上記第１圧縮機（41）が運転されて上記第２圧縮機（42）が休止し、上記第１切換弁（21）及び第２切換弁（22）のそれぞれが冷房用状態に設定され、上記第１圧縮機（41）から吐出された冷媒が室外熱交換器（23）へ供給される空気調和装置。
【請求項４】
請求項３記載の空気調和装置において、
第１暖房運転中又は第２暖房運転中には第１圧縮機（41）吐出された冷媒によって蓄熱媒体を加熱し、デフロスト運転中には第１圧縮機（41）へ吸入される冷媒を蓄熱媒体によって予め加熱する蓄熱器（65）を備えている
空気調和装置。
【発明の詳細な説明】
【０００１】
【発明の属する技術分野】
本発明は、冷媒回路で冷媒を循環させて冷凍サイクルを行う空気調和装置に関する。
【０００２】
【従来の技術】
従来より、特開２００１−２８０７６７号公報に開示されているように、冷凍サイクルを行う空気調和装置が知られている。この種の空気調和装置では、冷媒回路で冷媒を循環させることによって冷凍サイクルが行われる。また、冷媒回路での冷媒の循環方向を反転させることで、冷房運転と暖房運転の切り換えが行われる。
【０００３】
冷房運転時の冷媒回路において、圧縮機で圧縮された冷媒は、室外熱交換器で室外空気に放熱して凝縮する。室外熱交換器で凝縮した冷媒は、膨張弁で減圧された後に室内熱交換器へ送られ、室内空気から吸熱して蒸発する。そして、室内熱交換器で蒸発した冷媒は、圧縮機へ吸入されて圧縮される。
【０００４】
一方、暖房運転時の冷媒回路において、圧縮機で圧縮された冷媒は、室内熱交換器で室内空気に放熱して凝縮する。室外熱交換器で凝縮した冷媒は、膨張弁で減圧された後に室外熱交換器へ送られ、室外空気から吸熱して蒸発する。そして、室外熱交換器で蒸発した冷媒は、圧縮機へ吸入されて圧縮される。
【０００５】
【発明が解決しようとする課題】
上述のように、上記従来の空気調和装置では、低圧冷媒を圧縮機で１回だけ圧縮する単段圧縮冷凍サイクルが行われる。このため、外気温が極めて低い状態（例えば−２０℃程度）で暖房運転を行おうとすると、充分な暖房能力を得られないという問題があった。つまり、単段圧縮冷凍サイクルでは、室外熱交換器での冷媒蒸発温度を極めて低温の室外空気からも充分な熱量を吸熱できるような値に設定することができず、室外熱交換器での冷媒の吸熱量が不足してしまうことから、室内熱交換器での冷媒の放熱量が不足するという問題があった。
【０００６】
この問題に対しては、冷媒を２段階に圧縮する、いわゆる２段圧縮冷凍サイクルを採用するという対策が考えられる。しかしながら、冷房運転時にまで２段圧縮冷凍サイクルを行うようにすると、単段圧縮冷凍サイクルを行う場合に比べて圧縮機への入力が嵩み、ＣＯＰ（成績係数）の低下を招くという問題がある。また、暖房運転時であっても、外気温がそれ程低くない状態（例えば５℃程度）では、２段圧縮冷凍サイクルを行うよりも単段圧縮冷凍サイクルを行う方が高いＣＯＰを期待できる。
【０００７】
本発明は、かかる点に鑑みてなされたものであり、その目的とするところは、冷凍サイクルを行う空気調和装置において、冷房運転時や外気温のそれ程低くない状態での暖房運転時のＣＯＰを低下させることなく、外気温の極めて低い状態でも充分な暖房能力を発揮させることにある。
【０００８】
【課題を解決するための手段】
請求項１及び請求項２の発明は、第１圧縮機（41）、第２圧縮機（42）、室外熱交換器（23）、及び室内熱交換器（81）が設けられた冷媒回路（15）で冷媒を循環させて冷凍サイクルを行い、第１圧縮機（41）だけで冷媒を圧縮して単段圧縮冷凍サイクルを行う冷房運転と、第１圧縮機（41）だけで冷媒を圧縮して単段圧縮冷凍サイクルを行う第１暖房運転と、第２圧縮機（42）で圧縮した冷媒を第１圧縮機（41）で更に圧縮して二段圧縮冷凍サイクルを行う第２暖房運転とを相互に切り換えるための切換機構（100）を備える空気調和装置を対象とする。
【０００９】
そして、請求項１の発明は、その対象とする空気調和装置において、上記切換機構（100）は、第１切換弁（21）、第２切換弁（22）、及び切換用逆止弁（93）によって構成される一方、上記第１切換弁（21）は、第１のポートと第３のポートが連通し且つ第２のポートと第４のポートが連通する冷房用状態と第１のポートと第４のポートが連通し且つ第２のポートと第３のポートが連通する暖房用状態とに切り換わる四方切換弁であって、第１のポートが第１圧縮機（41）の吸入側に、第２のポートが第１圧縮機（41）の吐出側に、第３のポートが室内熱交換器（81）に、第４のポートが第２圧縮機（42）の吐出側及び室外熱交換器（23）にそれぞれ接続され、上記第２切換弁（22）は、室外熱交換器（23）を第１圧縮機（41）の吐出側に連通させて第２圧縮機（42）の吸入側から遮断する冷房用状態と、室外熱交換器（23）を第１圧縮機（41）の吐出側から遮断して第２圧縮機（42）の吸入側に連通させる暖房用状態とに切り換わり、上記切換用逆止弁（93）は、第１切換弁（21）の第４のポートと室外熱交換器（23）を接続する配管（35）に設けられて、室外熱交換器（23）から第１切換弁（21）へ向かう冷媒の流通だけを許容しており、上記冷房運転中には、上記第１圧縮機（41）が運転されて上記第２圧縮機（42）が休止し、上記第１切換弁（21）及び第２切換弁（22）のそれぞれが冷房用状態に設定され、上記切換用逆止弁（93）が閉塞状態となっていて、上記第１圧縮機（41）から吐出された冷媒が第２切換弁（22）を通って室外熱交換器（23）へ流入すると共に、上記室内熱交換器（81）で蒸発した冷媒が第１切換弁（21）を通って第１圧縮機（41）へ吸入され、上記第１暖房運転中には、上記第１圧縮機（41）が運転されて上記第２圧縮機（42）が休止し、上記第１切換弁（21）及び第２切換弁（22）のそれぞれが暖房用状態に設定され、上記切換用逆止弁（93）が連通状態となっていて、上記第１圧縮機（41）から吐出された冷媒が第１切換弁（21）を通って室内熱交換器（81）へ流入すると共に、上記室外熱交換器（23）で蒸発した冷媒が切換用逆止弁（93）を通って第１圧縮機（41）へ吸入され、上記第２暖房運転中には、上記第１圧縮機（41）及び第２圧縮機（42）が運転され、上記第１切換弁（21）及び第２切換弁（22）のそれぞれが暖房用状態に設定され、上記切換用逆止弁（93）が閉塞状態となっていて、上記第１圧縮機（41）から吐出された冷媒が第１切換弁（21）を通って室内熱交換器（81）へ流入し、上記室外熱交換器（23）で蒸発した冷媒が第２切換弁（22）を通って第２圧縮機（42）へ吸入され、上記第２圧縮機（42）から吐出された冷媒が第１切換弁（21）を通って第１圧縮機（41）へ吸入されるものである。
【００１０】
また、請求項２の発明は、その対象とする空気調和装置において、上記切換機構（100）は、第１切換弁（21）、第２切換弁（22）、及び切換用逆止弁（95）によって構成される一方、上記第１切換弁（21）は、第１のポートと第３のポートが連通し且つ第２のポートと第４のポートが連通する冷房用状態と第１のポートと第４のポートが連通し且つ第２のポートと第３のポートが連通する暖房用状態とに切り換わる四方切換弁であって、第１のポートが第１圧縮機（41）の吸入側に、第２のポートが第１圧縮機（41）の吐出側に、第３のポートが室内熱交換器（81）に、第４のポートが室外熱交換器（23）にそれぞれ接続され、上記第２切換弁（22）は、室外熱交換器（23）を第１圧縮機（41）の吐出側に連通させて第２圧縮機（42）の吸入側から遮断する冷房用状態と、室外熱交換器（23）を第１圧縮機（41）の吐出側から遮断して第２圧縮機（42）の吸入側に連通させる暖房用状態とに切り換わり、上記切換用逆止弁（95）は、第１切換弁（21）の第１のポートと第１圧縮機（41）の吸入側を接続する吸入管（43）に設けられ、第１切換弁（21）の第１のポートから第１圧縮機（41）の吸入側へ向かう冷媒の流通だけを許容しており、上記冷媒回路（15）には、上記吸入管（43）における切換用逆止弁（95）の下流側と第２圧縮機（42）の吐出側を接続する吐出管（46）が設けられており、上記冷房運転中には、上記第１圧縮機（41）が運転されて上記第２圧縮機（42）が休止し、上記第１切換弁（21）及び第２切換弁（22）のそれぞれが冷房用状態に設定され、上記切換用逆止弁（95）が連通状態となっていて、上記第１圧縮機（41）から吐出された冷媒が第１切換弁（21）を通って室外熱交換器（23）へ流入すると共に、上記室内熱交換器（81）で蒸発した冷媒が第１切換弁（21）及び切換用逆止弁（95）を通って第１圧縮機（41）へ吸入され、上記第１暖房運転中には、上記第１圧縮機（41）が運転されて上記第２圧縮機（42）が休止し、上記第１切換弁（21）及び第２切換弁（22）のそれぞれが暖房用状態に設定され、上記切換用逆止弁（95）が連通状態となっていて、上記第１圧縮機（41）から吐出された冷媒が第１切換弁（21）を通って室内熱交換器（81）へ流入すると共に、上記室外熱交換器（23）で蒸発した冷媒が第１切換弁（21）及び切換用逆止弁（93）を通って第１圧縮機（41）へ吸入され、上記第２暖房運転中には、上記第１圧縮機（41）及び第２圧縮機（42）が運転され、上記第１切換弁（21）及び第２切換弁（22）のそれぞれが暖房用状態に設定され、上記切換用逆止弁（95）が閉塞状態となっていて、上記第１圧縮機（41）から吐出された冷媒が第１切換弁（21）を通って室内熱交換器（81）へ流入し、上記室外熱交換器（23）で蒸発した冷媒が第２切換弁（22）を通って第２圧縮機（42）へ吸入され、上記第２圧縮機（42）から吐出された冷媒が吐出管（46）及び吸入管（43）を通って第１圧縮機（41）へ吸入されるものである。
【００１１】
請求項３の発明は、請求項１又は２の発明において、室外熱交換器（23）に付着した霜を融かすために第１圧縮機（41）だけで冷媒を圧縮して単段圧縮冷凍サイクルを行うデフロスト運転が可能となっており、上記デフロスト運転中には、上記第１圧縮機（41）が運転されて上記第２圧縮機（42）が休止し、上記第１切換弁（21）及び第２切換弁（22）のそれぞれが冷房用状態に設定され、上記第１圧縮機（41）から吐出された冷媒が室外熱交換器（23）へ供給されるものである。
【００１２】
請求項４の発明は、請求項３記載の空気調和装置において、第１暖房運転中又は第２暖房運転中には第１圧縮機（41）吐出された冷媒によって蓄熱媒体を加熱し、デフロスト運転中には第１圧縮機（41）へ吸入される冷媒を蓄熱媒体によって予め加熱する蓄熱器（65）を備えるものである。
【００１３】
−作用−
請求項１、請求項２、及び請求項３の発明では、空気調和装置（10）において、冷房運転と第１暖房運転と第２暖房運転とが可能となる。冷房運転時には、第２圧縮機（42）が休止し、第１圧縮機（41）だけが冷媒を吸入して圧縮する。また、第１暖房運転時にも、第２圧縮機（42）が休止し、第１圧縮機（41）だけが冷媒を吸入して圧縮する。つまり、冷房運転時や第１暖房運転時には、単段圧縮冷凍サイクルが行われる。
【００１４】
ここで、外気温がそれ程低くない場合には、室外熱交換器（23）での冷媒蒸発温度をそれ程下げなくても暖房能力は確保される。このため、冷凍サイクルの低圧をそれほど低く設定する必要はなく、冷凍サイクルの高低圧の差はそれほど大きくならない。従って、このような場合の運転としては、第１暖房運転が適している。
【００１５】
これら発明の空気調和装置（10）において、第２暖房運転時には、第１圧縮機（41）と第２圧縮機（42）の両方が運転される。この第２暖房運転時において、室外熱交換器（23）で蒸発した冷媒は、先ず第２圧縮機（42）で圧縮され、その後に第１圧縮機（41）で更に圧縮されてから室内熱交換器（81）へ向けて送り出される。つまり、第２暖房運転時には、２段圧縮冷凍サイクルが行われる。
【００１６】
ここで、外気温が極めて低い場合には、室外熱交換器（23）での冷媒蒸発温度をかなり低くしなければ暖房能力を確保できない。このため、冷凍サイクルの低圧をかなり低く設定する必要があり、冷凍サイクルの高低圧の差が大きくなる。従って、このような場合の運転としては、第２暖房運転が適している。
【００１７】
請求項１の発明において、冷房運転と第１暖房運転と第２暖房運転とは、切換機構（100）の動作によって切り換えられる。この切換機構（100）は、第１切換弁（21）、第２切換弁（22）、及び切換用逆止弁（93）によって構成される。
【００１８】
冷房運転時には、第１切換弁（21）及び第２切換弁（22）が冷房用状態となる。そして、第１圧縮機（41）の吐出冷媒が第２切換弁（22）を通って室外熱交換器（23）へ送られると共に、室内熱交換器（81）で蒸発した冷媒が第１切換弁（21）を通って第１圧縮機（41）へ吸入される。
【００１９】
第１暖房運転時及び第２暖房運転時には、第１切換弁（21）及び第２切換弁（22）が暖房用状態となる。そして、第１暖房運転では、第１圧縮機（41）の吐出冷媒が第１切換弁（21）を通って室内熱交換器（81）へ送られると共に、室外熱交換器（23）で蒸発した冷媒が切換用逆止弁（93）及び第１切換弁（21）を通って第１圧縮機（41）へ吸入される。一方、第２暖房運転では、第１圧縮機（41）の吐出冷媒が第１切換弁（21）を通って室内熱交換器（81）へ送られる。また、室外熱交換器（23）で蒸発した冷媒が第２切換弁（22）を通って第２圧縮機（42）へ吸入され、第２圧縮機（42）で圧縮された後に第１切換弁（21）を通って第１圧縮機（41）へ吸入される。
【００２０】
請求項２の発明において、冷房運転と第１暖房運転と第２暖房運転とは、切換機構（100）の動作によって切り換えられる。この切換機構（100）は、第１切換弁（21）、第２切換弁（22）、及び切換用逆止弁（95）によって構成される。
【００２１】
冷房運転時には、第１切換弁（21）及び第２切換弁（22）が冷房用状態となる。そして、第１圧縮機（41）の吐出冷媒が第１切換弁（21）を通って室外熱交換器（23）へ送られると共に、室内熱交換器（81）で蒸発した冷媒が第１切換弁（21）及び切換用逆止弁（95）を通って第１圧縮機（41）へ吸入される。
【００２２】
第１暖房運転時及び第２暖房運転時には、第１切換弁（21）及び第２切換弁（22）が暖房用状態となる。そして、第１暖房運転では、第１圧縮機（41）の吐出冷媒が第１切換弁（21）を通って室内熱交換器（81）へ送られると共に、室外熱交換器（23）で蒸発した冷媒が第１切換弁（21）及び切換用逆止弁（93）を通って第１圧縮機（41）へ吸入される。一方、第２暖房運転では、第１圧縮機（41）の吐出冷媒が第１切換弁（21）を通って室内熱交換器（81）へ送られる。また、室外熱交換器（23）で蒸発した冷媒が第２切換弁（22）を通って第２圧縮機（42）へ吸入され、第２圧縮機（42）で圧縮された後に第１圧縮機（41）へ吸入される。
【００２３】
請求項３の発明では、冷房運転と第１暖房運転と第２暖房運転とに加えて、デフロスト運転も可能となる。デフロスト運転時には、第２圧縮機（42）が休止し、第１圧縮機（41）だけが冷媒を吸入して圧縮する。室外熱交換器（23）へは、第１圧縮機（41）で圧縮された冷媒が導入され、この冷媒によって室外熱交換器（23）に付着した霜が融かされる。
【００２４】
請求項４の発明では、空気調和装置（10）に蓄熱器（65）が設けられる。第１暖房運転中や第２暖房運転中において、蓄熱器（65）では、第１圧縮機（41）から吐出された冷媒によって蓄熱媒体が加熱される。一方、デフロスト運転中の蓄熱器（65）において、第１圧縮機（41）へ向かって流れる冷媒は、第１暖房運転中や第２暖房運転中に加熱された蓄熱媒体によって加熱されてから第１圧縮機（41）へ吸入される。そして、室外熱交換器（23）へは、蓄熱器（65）で加熱された後に第１圧縮機（41）で圧縮された冷媒が供給され、この冷媒によって室外熱交換器（23）に付着した霜が融かされる。
【００２５】
【発明の実施の形態１】
以下、本発明の実施形態を図面に基づいて詳細に説明する。
【００２６】
図１に示すように、本実施形態に係る空気調和装置（10）は、室外機（11）と室内機（12）とを１台ずつ備えている。また、上記空気調和装置（10）は、冷媒回路（15）と蓄熱器（65）とを備えている。
【００２７】
上記冷媒回路（15）は、室外回路（20）、室内回路（80）、液側連絡管（16）、及びガス側連絡管（17）により構成されている。室内回路（80）は、液側連絡管（16）及びガス側連絡管（17）を介して室外回路（20）に接続されている。
【００２８】
上記室外回路（20）は、室外機（11）に収納されている。室外回路（20）には、第１圧縮機（41）、第２圧縮機（42）、第１切換弁である第１四方切換弁（21）、第２切換弁である第２四方切換弁（22）、室外熱交換器（23）、室外膨張弁（25）、ブリッジ回路（30）、レシーバ（24）、過冷却熱交換器（60）、液側閉鎖弁（26）、及びガス側閉鎖弁（27）が設けられている。
【００２９】
第１圧縮機（41）は、全密閉型のスクロール圧縮機である。第１圧縮機（41）の吸入側には、第１吸入管（43）の一端が接続されている。この第１吸入管（43）の他端は、第１四方切換弁（21）の第１のポートに接続されている。一方、第１圧縮機（41）の吐出側には、第１吐出管（44）の一端が接続されている。この第１吐出管（44）は、他端側で第１分岐管（44a）と第２分岐管（44b）とに分岐されている。そして、第１吐出管（44）は、その第１分岐管（44a）が第１四方切換弁（21）の第２のポートに接続され、その第２分岐管（44b）が第２四方切換弁（22）の第２のポートに接続されている。
【００３０】
第１吐出管（44）には、油分離器（51）が設けられている。油分離器（51）は、第１圧縮機（41）の吐出冷媒から冷凍機油を取り除くためのものであって、油戻し管（52）の一端が接続されている。この油戻し管（52）は、その他端が第１吸入管（43）に接続されている。また、油戻し管（52）には、油戻し電磁弁（53）が設けられている。
【００３１】
第２圧縮機（42）は、全密閉型のスクロール圧縮機である。第２圧縮機（42）の吸入側には、第２吸入管（45）の一端が接続されている。この第２吸入管（45）の他端は、第２四方切換弁（22）の第１のポートに接続されている。一方、第２圧縮機（42）の吐出側には、第２吐出管（46）の一端が接続されている。この第２吐出管（46）は、他端側で第１分岐管（46a）と第２分岐管（46b）とに分岐されている。そして、第２吐出管（46）は、その第１分岐管（46a）が接続管（35）に接続され、その第２分岐管（46b）が第１吐出管（44）の第２分岐管（44b）に接続されている。また、第１分岐管（46a）と第２分岐管（46b）には、逆止弁（91,92）が１つずつ設けられている。各逆止弁（91,92）は、第２圧縮機（42）から吐出される方向の冷媒の流通だけを許容する。尚、接続管（35）については後述する。
【００３２】
第２吸入管（45）には、均油管（54）の一端が接続されている。この均油管（54）は、その一端が第１圧縮機（41）のケーシングに接続されている。また、均油管（54）には、均油電磁弁（55）が設けられている。この均油電磁弁（55）を開くと、第１圧縮機（41）のケーシング内に溜まった冷凍機油が第２圧縮機（42）へ吸入され、第１圧縮機（41）と第２圧縮機（42）とで冷凍機油の貯留量が平均化される。
【００３３】
上記室外熱交換器（23）は、クロスフィン式のフィン・アンド・チューブ型熱交換器である。この室外熱交換器（23）は、その一端が第２四方切換弁（22）の第４のポートに接続され、その他端がブリッジ回路（30）に接続されている。そして、室外熱交換器（23）では、冷媒回路（15）を循環する冷媒と室外空気とが熱交換を行う。
【００３４】
接続管（35）は、その一端が第２四方切換弁（22）と室外熱交換器（23）の間の配管に接続され、その他端が第１四方切換弁（21）の第４のポートに接続されている。つまり、この接続管（35）は、第１四方切換弁（21）の第４のポートと室外熱交換器（23）を接続する配管を構成している。
【００３５】
上記接続管（35）には、切換用逆止弁（93）が設けられている。この切換用逆止弁（93）は、室外熱交換器（23）から第１四方切換弁（21）へ向かう方向の冷媒の流通だけを許容する。第２吐出管（46）の第１分岐管（46a）は、接続管（35）における切換用逆止弁（93）と第１四方切換弁（21）の間に接続されている。そして、上記冷媒回路（15）では、第１四方切換弁（21）、第２四方切換弁（22）、及び切換用逆止弁（93）が切換機構（100）を構成している。
【００３６】
ブリッジ回路（30）は、第１管路（31）、第２管路（32）、第３管路（33）、及び第４管路（34）をブリッジ状に接続して構成されている。このブリッジ回路（30）において、第１管路（31）の出口端が第２管路（32）の出口端と接続し、第２管路（32）の入口端が第３管路（33）の出口端と接続し、第３管路（33）の入口端が第４管路（34）の入口端と接続し、第４管路（34）の出口端が第１管路（31）の入口端と接続している。
【００３７】
また、第１〜第４の各管路（31〜34）には、逆止弁が１つずつ設けられている。第１管路（31）には、その入口端から出口端に向かう冷媒の流通のみを許容する逆止弁（CV-1）が設けられている。第２管路（32）には、その入口端から出口端に向かう冷媒の流通のみを許容する逆止弁（CV-2）が設けられている。第３管路（33）には、その入口端から出口端に向かう冷媒の流通のみを許容する逆止弁（CV-3）が設けられている。第４管路（34）には、その入口端から出口端に向かう冷媒の流通のみを許容する逆止弁（CV-4）が設けられている。
【００３８】
このブリッジ回路（30）は、第１管路（31）の入口端及び第４管路（34）の出口端が室外熱交換器（23）に、第１管路（31）の出口端及び第２管路（32）の出口端がレシーバ（24）に、第２管路（32）の入口端及び第３管路（33）の出口端が液側閉鎖弁（26）に、第３管路（33）の入口端及び第４管路（34）の入口端が室外膨張弁（25）にそれぞれ接続されている。
【００３９】
過冷却熱交換器（60）には、第１冷媒流路（61）と第２冷媒流路（62）とが形成されている。第１冷媒流路（61）は、その一端がレシーバ（24）に接続され、その他端が室外膨張弁（25）に接続されている。一方、第２冷媒流路（62）は、過冷却用配管（63）の途中に設けられている。そして、過冷却熱交換器（60）では、第１冷媒流路（61）を流れる冷媒と、第２冷媒流路（62）を流れる冷媒とが熱交換する。
【００４０】
過冷却用配管（63）は、その一端がレシーバ（24）に接続され、その他端が第１吸入管（43）に接続されている。また、この過冷却用配管（63）には、レシーバ（24）と過冷却熱交換器（60）の間に過冷却用膨張弁（64）が設けられている。
【００４１】
蓄熱器（65）は、タンク（66）と蓄熱用熱交換器（67）とを備え、室外機（11）に収納されている。タンク（66）には、エチレングリコール水溶液等の不凍液が蓄熱媒体として貯留されている。蓄熱用熱交換器（67）は、伝熱管により構成され、タンク（66）内の蓄熱媒体に浸漬されている。この蓄熱用熱交換器（67）は、その一端が第１四方切換弁（21）の第３のポートに接続され、その他端がガス側閉鎖弁（27）に接続されている。
【００４２】
上述のように、第１四方切換弁（21）は、その第１のポートが第１圧縮機（41）の吸入側に、その第２のポートが第１圧縮機（41）の吐出側に、その第３のポートが蓄熱用熱交換器（67）に、その第４のポートが接続管（35）にそれぞれ接続されている。そして、第１四方切換弁（21）は、第１のポートと第３のポートが連通し且つ第２のポートと第４のポートが連通するオン状態（図１に破線で示す状態）と、第１のポートと第４のポートが連通し且つ第２のポートと第３のポートが連通するオフ状態（図１に実線で示す状態）とに切り換わる。
【００４３】
一方、第２四方切換弁（22）は、その第１のポートが第２圧縮機（42）の吸入側に、その第２のポートが第１吐出管（44）の第２分岐管（44b）に、その第４のポートが室外熱交換器（23）にそれぞれ接続されている。また、この第２四方切換弁（22）は、その第３のポートが封止されている。そして、第２四方切換弁（22）は、第１のポートと第３のポートが連通し且つ第２のポートと第４のポートが連通するオン状態（図１に破線で示す状態）と、第１のポートと第４のポートが連通し且つ第２のポートと第３のポートが連通するオフ状態（図１に実線で示す状態）とに切り換わる。つまり、第２四方切換弁（22）は、三方弁として用いられている。
【００４４】
室外回路（20）には、更に連通管（36）が設けられている。この連通管（36）は、その一端がレシーバ（24）の上端部接続され、その他端が第１吐出管（44）に接続されている。また、連通管（36）には、バネ付きの逆止弁（94）が設けられている。この逆止弁（94）は、空気調和装置（10）の停止中にレシーバ（24）の内圧が異常に高くなった場合にだけ連通状態となる。
【００４５】
上記室内回路（80）は、室内機（12）に設けられている。この室内回路（80）には、室内熱交換器（81）が設けられている。室内熱交換器（81）は、クロスフィン式のフィン・アンド・チューブ型熱交換器により構成されている。室内熱交換器（81）では、冷媒回路（15）を循環する冷媒と室内空気とが熱交換を行う。
【００４６】
上記液側連絡管（16）は、その一端が液側閉鎖弁（26）に接続され、他端が室内回路（80）に接続されている。上記ガス側連絡管（17）は、その一端がガス側閉鎖弁（27）に接続され、他端が室内回路（80）に接続されている。
【００４７】
上記室外機（11）には、室外ファン（70）が設けられている。この室外ファン（70）は、室外熱交換器（23）へ室外空気を送るためのものである。一方、上記室内機（12）には、室内ファン（85）が設けられている。この室内ファン（85）は、室内熱交換器（81）へ室内空気を送るためのものである。
【００４８】
本実施形態の空気調和装置（10）には、各種のセンサ等が設けられている。
【００４９】
具体的に、室外機（11）には、室外空気の温度を検出するための外気温センサ（71）が設けられている。また、室外熱交換器（23）には、その伝熱管温度を検出するための室外熱交換器温度センサ（72）が設けられている。第１吸入管（43）には、第１圧縮機（41）の吸入冷媒温度を検出するための第１吸入温度センサ（73）と、第１圧縮機（41）の吸入冷媒圧力を検出するための第１吸入圧力センサ（74）とが設けられている。第１吐出管（44）には、第１圧縮機（41）の吐出冷媒温度を検出するための吐出温度センサ（77）と、第１圧縮機（41）の吐出冷媒圧力を検出するための吐出圧力センサ（78）とが設けられている。第２吸入管（45）には、第２圧縮機（42）の吸入冷媒温度を検出するための第２吸入温度センサ（75）と、第２圧縮機（42）の吸入冷媒圧力を検出するための第２吸入圧力センサ（76）とが設けられている。
【００５０】
一方、室内機（12）には、室内空気の温度を検出するための内気温センサ（86）が設けられている。また、室内熱交換器（81）には、その伝熱管温度を検出するための室内熱交換器温度センサ（87）が設けられている。
【００５１】
−運転動作−
空気調和装置（10）の運転動作について説明する。この空気調和装置（10）は、冷房運転、第１暖房運転、第２暖房運転、及びデフロスト運転を行う。冷房運転と第１暖房運転と第２暖房運転とデフロスト運転とは、切換機構（100）の動作によって相互に切り換えられる。
【００５２】
《冷房運転》
冷房運転時の動作について、図１を参照しながら説明する。
【００５３】
冷房運転時において、第１四方切換弁（21）と第２四方切換弁（22）は、何れもオン状態（図１に破線で示す状態）となる。また、油戻し電磁弁（53）と均油電磁弁（55）は、何れも適宜開閉される。この状態において、第１圧縮機（41）が運転され、第２圧縮機（42）が休止させられる。そして、冷媒回路（15）では、冷媒が循環し、いわゆる単段冷凍サイクルが行われる。
【００５４】
第１圧縮機（41）で圧縮された冷媒は、第１吐出管（44）へ吐出される。この冷媒は、第１吐出管（44）の第２分岐管（44b）へ流入し、第２四方切換弁（22）を通って室外熱交換器（23）へ導入される。室外熱交換器（23）では、冷媒が室外空気へ放熱して凝縮する。室外熱交換器（23）で凝縮した冷媒は、ブリッジ回路（30）の第１管路（31）を通ってレシーバ（24）へ流入する。
【００５５】
レシーバ（24）から流出した液冷媒は、その一部が過冷却用膨張弁（64）で減圧された後に過冷却熱交換器（60）の第２冷媒流路（62）へ導入され、残りが過冷却熱交換器（60）の第１冷媒流路（61）へ導入される。過冷却熱交換器（60）では、第２冷媒流路（62）の冷媒が第１冷媒流路（61）の冷媒から吸熱して蒸発し、第１冷媒流路（61）の冷媒が冷却される。冷却されて過冷却度の増大した冷媒は、第１冷媒流路（61）から出て室外膨張弁（25）へ送られる。一方、第２冷媒流路（62）で蒸発した冷媒は、過冷却用配管（63）を通って第１圧縮機（41）の吸入側へ送られる。
【００５６】
室外膨張弁（25）へ送られた冷媒は、室外膨張弁（25）を通過する際に減圧される。室外膨張弁（25）で減圧された冷媒は、ブリッジ回路（30）の第３管路（33）から液側連絡管（16）へ導入される。その後、この冷媒は、室内回路（80）へ流入し、室内熱交換器（81）へ導入される。室内熱交換器（81）では、冷媒が室内空気から吸熱して蒸発する。つまり、室内熱交換器（81）では、室内空気が冷却される。
【００５７】
室内熱交換器（81）で蒸発した冷媒は、ガス側連絡管（17）を通って室外回路（20）へ流入する。この冷媒は、蓄熱用熱交換器（67）と第１四方切換弁（21）を順に通過し、第１吸入管（43）へ流入する。その後、この冷媒は、過冷却用配管（63）から送り込まれた冷媒と合流し、第１圧縮機（41）へ吸入される。第１圧縮機（41）は、吸入した冷媒を圧縮して再び吐出する。冷媒回路（15）では、このような冷媒の循環が繰り返される。
【００５８】
《第１暖房運転》
第１暖房運転時の動作について、図２を参照しながら説明する。この第１暖房運転は、外気温がそれ程低くない場合（例えば０℃以上の場合）に行われる。
【００５９】
第１暖房運転時において、第１四方切換弁（21）と第２四方切換弁（22）は、何れもオフ状態（図２に実線で示す状態）となる。また、油戻し電磁弁（53）と均油電磁弁（55）は、何れも適宜開閉される。この状態において、第１圧縮機（41）が運転され、第２圧縮機（42）が休止させられる。そして、冷媒回路（15）では、冷媒が循環し、いわゆる単段冷凍サイクルが行われる。
【００６０】
第１圧縮機（41）で圧縮された冷媒は、第１吐出管（44）へ吐出される。この冷媒は、第１四方切換弁（21）を通過して蓄熱用熱交換器（67）へ流入する。蓄熱器（65）では、蓄熱用熱交換器（67）へ流入した冷媒が蓄熱媒体に対して放熱し、蓄熱媒体が加熱される。蓄熱用熱交換器（67）から出た冷媒は、ガス側連絡管（17）を通って室内回路（80）へ流入し、室内熱交換器（81）へ導入される。室内熱交換器（81）では、冷媒が室内空気に放熱して凝縮する。つまり、室内熱交換器（81）では、室内空気が加熱される。
【００６１】
室内熱交換器（81）で凝縮した冷媒は、液側連絡管（16）を通って室外回路（20）へ流入する。その後、この冷媒は、ブリッジ回路（30）の第２管路（32）を通ってレシーバ（24）へ流入する。
【００６２】
レシーバ（24）から流出した液冷媒は、その一部が過冷却用膨張弁（64）で減圧された後に過冷却熱交換器（60）の第２冷媒流路（62）へ導入され、残りが過冷却熱交換器（60）の第１冷媒流路（61）へ導入される。過冷却熱交換器（60）では、第２冷媒流路（62）の冷媒が第１冷媒流路（61）の冷媒から吸熱して蒸発し、第１冷媒流路（61）の冷媒が冷却される。冷却されて過冷却度の増大した冷媒は、第１冷媒流路（61）から出て室外膨張弁（25）へ送られる。一方、第２冷媒流路（62）で蒸発した冷媒は、過冷却用配管（63）を通って第１圧縮機（41）の吸入側へ送られる。
【００６３】
室外膨張弁（25）へ送られる冷媒は、室外膨張弁（25）を通過する際に減圧される。室外膨張弁（25）で減圧された冷媒は、ブリッジ回路（30）の第４管路（34）を通過し、室外熱交換器（23）へ導入される。室外熱交換器（23）では、冷媒が室外空気から吸熱して蒸発する。室外熱交換器（23）で蒸発した冷媒は、接続管（35）を流れ、第１四方切換弁（21）を通過して第１吸入管（43）へ流入する。その後、この冷媒は、過冷却用配管（63）から送り込まれた冷媒と合流し、第１圧縮機（41）へ吸入される。第１圧縮機（41）は、吸入した冷媒を圧縮して再び吐出する。冷媒回路（15）では、このような冷媒の循環が繰り返される。
【００６４】
《第２暖房運転》
第２暖房運転時の動作について、図３を参照しながら説明する。この第２暖房運転は、外気温が比較的低い場合（例えば−２０℃〜０℃程度の場合）に行われる。
【００６５】
第２暖房運転時において、第１四方切換弁（21）と第２四方切換弁（22）は、何れもオフ状態（図３に実線で示す状態）となる。また、油戻し電磁弁（53）と均油電磁弁（55）は、何れも適宜開閉される。この状態において、第１圧縮機（41）と第２圧縮機（42）の両方が運転される。そして、冷媒回路（15）では、冷媒が循環し、いわゆる二段冷凍サイクルが行われる。
【００６６】
第１圧縮機（41）で圧縮された冷媒は、第１吐出管（44）へ吐出される。この冷媒は、第１四方切換弁（21）を通過して蓄熱用熱交換器（67）へ流入する。蓄熱器（65）では、蓄熱用熱交換器（67）へ流入した冷媒が蓄熱媒体に対して放熱し、蓄熱媒体が加熱される。蓄熱用熱交換器（67）から出た冷媒は、ガス側連絡管（17）を通って室内回路（80）へ流入し、室内熱交換器（81）へ導入される。室内熱交換器（81）では、冷媒が室内空気に放熱して凝縮する。つまり、室内熱交換器（81）では、室内空気が加熱される。
【００６７】
室内熱交換器（81）で凝縮した冷媒は、液側連絡管（16）を通って室外回路（20）へ流入する。その後、この冷媒は、ブリッジ回路（30）の第２管路（32）を通ってレシーバ（24）へ流入する。
【００６８】
レシーバ（24）から流出した液冷媒は、その一部が過冷却用膨張弁（64）で中間圧にまで減圧されて過冷却熱交換器（60）の第２冷媒流路（62）へ導入され、残りが過冷却熱交換器（60）の第１冷媒流路（61）へ導入される。過冷却熱交換器（60）では、第２冷媒流路（62）の冷媒が第１冷媒流路（61）の冷媒から吸熱して蒸発し、第１冷媒流路（61）の冷媒が冷却される。冷却されて過冷却度の増大した冷媒は、第１冷媒流路（61）から出て室外膨張弁（25）へ送られる。一方、第２冷媒流路（62）で蒸発した冷媒は、過冷却用配管（63）を通って第１圧縮機（41）の吸入側へ送られる。
【００６９】
室外膨張弁（25）へ送られる冷媒は、室外膨張弁（25）を通過する際に低圧にまで減圧される。室外膨張弁（25）で減圧された冷媒は、ブリッジ回路（30）の第４管路（34）を通過し、室外熱交換器（23）へ導入される。室外熱交換器（23）では、冷媒が室外空気から吸熱して蒸発する。室外熱交換器（23）で蒸発した冷媒は、第２四方切換弁（22）を通過して第２吸入管（45）へ流入し、第２圧縮機（42）へ吸入される。
【００７０】
第２圧縮機（42）は、吸入した冷媒を圧縮する。第２圧縮機（42）で圧縮されて中間圧となった冷媒は、第２吐出管（46）へ吐出される。この中間圧の冷媒は、第２吐出管（46）の第１分岐管（46a）から接続管（35）を通り、第１四方切換弁（21）を通過して第１吸入管（43）へ流入する。その後、この冷媒は、過冷却用配管（63）から送り込まれた冷媒と合流し、第１圧縮機（41）へ吸入される。第１圧縮機（41）は、吸入した冷媒を圧縮し、圧縮されて高圧となった冷媒を吐出する。冷媒回路（15）では、このような冷媒の循環が繰り返される。
【００７１】
《デフロスト運転》
デフロスト運転時の動作について、図４を参照しながら説明する。このデフロスト運転は、室外熱交換器（23）に付着した霜を融かすための運転であって、第１暖房運転中や第２暖房運転中に適宜行われる。
【００７２】
デフロスト運転時において、第１四方切換弁（21）と第２四方切換弁（22）は、何れもオン状態（図４に破線で示す状態）となる。また、過冷却用膨張弁（64）は、全閉状態に保持される。この状態において、第１圧縮機（41）が運転され、第２圧縮機（42）が休止させられる。そして、冷媒回路（15）では、冷房運転時とほぼ同様に冷媒が循環する。つまり、このデフロスト運転では、いわゆる逆サイクルデフロストが行われる。
【００７３】
第１圧縮機（41）で圧縮された冷媒は、第１吐出管（44）へ吐出される。この冷媒は、第１吐出管（44）の第２分岐管（44b）へ流入し、第２四方切換弁（22）を通って室外熱交換器（23）へ導入される。室外熱交換器（23）では、導入された冷媒によって霜が融かされる。室外熱交換器（23）から出た冷媒は、レシーバ（24）と過冷却熱交換器（60）を順に通過し、室外膨張弁（25）へ送られる。この冷媒は、室外膨張弁（25）で減圧された後に室内回路（80）へ送られ、室内熱交換器（81）を通過後に蓄熱器（65）の蓄熱用熱交換器（67）へ導入される。
【００７４】
蓄熱用熱交換器（67）へ導入された冷媒は、暖房運転中に加熱されたタンク（66）内の蓄熱媒体と熱交換する。そして、蓄熱用熱交換器（67）では、冷媒が蓄熱媒体から吸熱して蒸発する。蓄熱用熱交換器（67）で蒸発した冷媒は、第１四方切換弁（21）を通過し、第１吸入管（43）を通って第１圧縮機（41）へ吸入される。第１圧縮機（41）は、吸入した冷媒を圧縮して再び吐出する。冷媒回路（15）では、このような冷媒の循環が繰り返され、蓄熱器（65）に蓄えられた熱を利用して室外熱交換器（23）の除霜が行われる。
【００７５】
《第１圧縮機の故障時》
本実施形態の空気調和装置（10）では、第１圧縮機（41）が故障して運転不能に陥った場合であっても、第２圧縮機（42）だけを運転して暖房運転を行うことができる。このような第２圧縮機（42）のみを用いた暖房運転時の動作について、図５を参照しながら説明する。
【００７６】
この運転時において、第１四方切換弁（21）と第２四方切換弁（22）は、何れもオフ状態（図５に実線で示す状態）となる。また、過冷却用膨張弁（64）は、全閉状態に保持される。この状態において、運転可能な第２圧縮機（42）だけが運転される。そして、冷媒回路（15）では、冷媒が循環し、いわゆる単段冷凍サイクルが行われる。
【００７７】
第２圧縮機（42）で圧縮された冷媒は、第２吐出管（46）へ吐出される。この冷媒は、第２吐出管（46）の第２分岐管（46b）を通って第１吐出管（44）の第２分岐管（44b）へ流入し、第１四方切換弁（21）を通過して蓄熱用熱交換器（67）へ流入する。蓄熱器（65）では、蓄熱用熱交換器（67）へ流入した冷媒が蓄熱媒体に対して放熱し、蓄熱媒体が加熱される。蓄熱用熱交換器（67）から出た冷媒は、ガス側連絡管（17）を通って室内回路（80）へ流入し、室内熱交換器（81）へ導入される。室内熱交換器（81）では、冷媒が室内空気に放熱して凝縮する。つまり、室内熱交換器（81）では、室内空気が加熱される。
【００７８】
室内熱交換器（81）で凝縮した冷媒は、液側連絡管（16）を通って室外回路（20）へ流入する。その後、この冷媒は、ブリッジ回路（30）の第２管路（32）を通ってレシーバ（24）へ流入する。レシーバ（24）から流出した液冷媒は、過冷却熱交換器（60）を通過後に室外膨張弁（25）へ送られ、室外膨張弁（25）を通過する際に減圧される。
【００７９】
室外膨張弁（25）で減圧された冷媒は、ブリッジ回路（30）の第４管路（34）を通過し、室外熱交換器（23）へ導入される。室外熱交換器（23）では、冷媒が室外空気から吸熱して蒸発する。室外熱交換器（23）で蒸発した冷媒は、第２四方切換弁（22）を通過して第２吸入管（45）へ流入し、第１圧縮機（41）へ吸入される。第１圧縮機（41）は、吸入した冷媒を圧縮して再び吐出する。冷媒回路（15）では、このような冷媒の循環が繰り返される。
【００８０】
−実施形態１の効果−
本実施形態１の空気調和装置（10）では、単段圧縮冷凍サイクルの行われる第１暖房運転と、２段圧縮冷凍サイクルの行われる第２暖房運転とが可能となっている。このため、外気温が極めて低くて単段圧縮冷凍サイクルでは必要な暖房能力が得られない場合には、第２暖房運転を行うことで充分な暖房能力を確保できる。その一方、外気温がそれ程低くなくて単段圧縮冷凍サイクルでも充分な暖房能力が得られる場合には、第１暖房運転を行うことで従来の空気調和装置（10）と同様のＣＯＰを得ることも可能である。従って、本実施形態によれば、外気温のそれ程低くない状態での暖房運転時において空気調和装置（10）のＣＯＰが低下するのを回避できると同時に、外気温の極めて低い状態でも充分な暖房能力を発揮させることができる。
【００８１】
また、本実施形態の空気調和装置（10）によれば、室内熱交換器（81）で冷媒が吸熱した熱だけでなく、蓄熱器（65）の蓄熱媒体に蓄えられた熱をも利用して、室外熱交換器（23）のデフロストを行うことができる。このため、室外熱交換器（23）のデフロストに要する時間を短縮することが可能となる。従って、本実施形態によれば、室内の暖房を休止せざるを得ないデフロスト運転に要する時間を短縮でき、室外熱交換器（23）のデフロストに伴う快適性の低下を抑制できる。
【００８２】
【発明の実施の形態２】
本発明の実施形態２は、上記実施形態１における冷媒回路（15）の構成を変更し、室外回路（20）から蓄熱器（65）や過冷却熱交換器（60）などを省略したものである。ここでは、本実施形態の室外回路（20）について説明する。
【００８３】
図６に示すように、室外回路（20）には、第１圧縮機（41）、第２圧縮機（42）、第１四方切換弁（21）、第２四方切換弁（22）、室外熱交換器（23）、室外膨張弁（25）、ブリッジ回路（30）、レシーバ（24）、液側閉鎖弁（26）、及びガス側閉鎖弁（27）が設けられている。これらの機器自体の構成は、上記実施形態１と同様である。
【００８４】
第１圧縮機（41）は、その吸入側に第１吸入管（43）の一端が接続され、その吐出側に第１吐出管（44）の一端が接続されている。第１吸入管（43）は、その他端が第１四方切換弁（21）の第１のポートに接続されている。また、第１吸入管（43）には、切換用逆止弁（95）が設けられている。この切換用逆止弁（95）は、第１四方切換弁（21）から第１圧縮機（41）へ向かう冷媒の流通だけを許容する。一方、第１吐出管（44）は、他端側で第１分岐管（44a）と第２分岐管（44b）とに分岐されている。第１吐出管（44）は、その第１分岐管（44a）が第１四方切換弁（21）の第２のポートに接続され、その第２分岐管（44b）が第２四方切換弁（22）の第２のポートに接続されている。そして、上記冷媒回路（15）では、第１四方切換弁（21）、第２四方切換弁（22）、及び切換用逆止弁（95）が切換機構（100）を構成している。
【００８５】
第２圧縮機（42）は、その吸入側に第２吸入管（45）の一端が接続され、その吐出側に第２吐出管（46）の一端が接続されている。第２吸入管（45）は、その他端が第２四方切換弁（22）の第１のポートに接続されている。一方、第２吐出管（46）は、その他端が第１吸入管（43）における切換用逆止弁（95）と第１圧縮機（41）の間に接続されている。また、第２吐出管（46）には、逆止弁（96）が設けられている。この逆止弁（96）は、第２圧縮機（42）から第１吸入管（43）へ向かう冷媒の流通だけを許容する。
【００８６】
更に、第２吐出管（46）には、油分離器（51）が設けられている。油分離器（51）は、第２圧縮機（42）の吐出冷媒から冷凍機油を取り除くためのものであって、第２圧縮機（42）と切換用逆止弁（95）の間に配置されている。この油分離器（51）には、油戻し管（52）の一端が接続されている。この油戻し管（52）は、その他端が第２吸入管（45）に接続されている。また、油戻し管（52）には、キャピラリチューブ（CP）が設けられている。
【００８７】
室外回路（20）には、バイパス管（37）が設けられている。このバイパス管（37）は、その一端が第２吸入管（45）に接続され、その他端が第２吐出管（46）における油分離器（51）と逆止弁（96）の間に接続されている。バイパス管（37）には、逆止弁（97）が設けられている。この逆止弁（97）は、バイパス管（37）の一端から他端へ向かう冷媒の流通だけを許容する。
【００８８】
上記室外熱交換器（23）は、その一端が第２四方切換弁（22）の第４のポートに接続され、その他端がブリッジ回路（30）に接続されている。このブリッジ回路（30）には、上記実施形態１と同様に、レシーバ（24）と、室外膨張弁（25）と、液側閉鎖弁（26）とが接続されている。ただし、本実施形態において、室外膨張弁（25）は、レシーバ（24）に対して直接に接続されている。
【００８９】
上述のように、第１四方切換弁（21）は、その第１のポートが第１圧縮機（41）の吸入側に、その第２のポートが第１圧縮機（41）の吐出側に、その第４のポートが室外熱交換器（23）にそれぞれ接続されている。また、この第１四方切換弁（21）は、その第３のポートがガス側閉鎖弁（27）に接続されている。そして、第１四方切換弁（21）は、第１のポートと第３のポートが連通し且つ第２のポートと第４のポートが連通するオン状態（図６に破線で示す状態）と、第１のポートと第４のポートが連通し且つ第２のポートと第３のポートが連通するオフ状態（図６に実線で示す状態）とに切り換わる。
【００９０】
一方、第２四方切換弁（22）は、その第１のポートが第２圧縮機（42）の吸入側に、その第２のポートが第１吐出管（44）の第２分岐管（44b）にそれぞれ接続されている。また、この第２四方切換弁（22）は、その第３のポートが封止され、その第４のポートが室外熱交換器（23）に接続されている。そして、第２四方切換弁（22）は、第１のポートと第３のポートが連通し且つ第２のポートと第４のポートが連通するオン状態（図６に破線で示す状態）と、第１のポートと第４のポートが連通し且つ第２のポートと第３のポートが連通するオフ状態（図６に実線で示す状態）とに切り換わる。つまり、第２四方切換弁（22）は、三方弁として用いられている。
【００９１】
本実施形態の室外回路（20）には、上記実施形態１と同様に、室外熱交換器温度センサ（72）、第１吸入温度センサ（73）、第１吸入圧力センサ（74）、吐出温度センサ（77）、第２吸入温度センサ（75）、及び第２吸入圧力センサ（76）が設けられている。ただし、この室外回路（20）の第１吐出管（44）には、上記実施形態１の吐出圧力センサ（78）に代えて、高圧圧力スイッチ（79）が設けられている。
【００９２】
−運転動作−
空気調和装置（10）の運転動作について説明する。この空気調和装置（10）は、冷房運転と、第１暖房運転と、第２暖房運転と、デフロスト運転とを行う。冷房運転と第１暖房運転と第２暖房運転とデフロスト運転とは、切換機構（100）の動作によって相互に切り換えられる。
【００９３】
《冷房運転》
冷房運転時の動作について、図６を参照しながら説明する。
【００９４】
冷房運転時において、第１四方切換弁（21）と第２四方切換弁（22）は、何れもオン状態（図６に破線で示す状態）となる。この状態において、第１圧縮機（41）が運転され、第２圧縮機（42）が休止させられる。そして、冷媒回路（15）では、冷媒が循環し、いわゆる単段冷凍サイクルが行われる。
【００９５】
第１圧縮機（41）で圧縮された冷媒は、第１吐出管（44）へ吐出される。この冷媒は、第１四方切換弁（21）を通って室外熱交換器（23）へ導入される。室外熱交換器（23）では、冷媒が室外空気へ放熱して凝縮する。室外熱交換器（23）で凝縮した冷媒は、ブリッジ回路（30）の第１管路（31）を通ってレシーバ（24）へ流入する。
【００９６】
レシーバ（24）から流出した液冷媒は、室外膨張弁（25）で減圧された後に、ブリッジ回路（30）の第３管路（33）を通って液側連絡管（16）へ流入する。その後、この冷媒は、液側連絡管（16）を通って室内回路（80）へ流入し、室内熱交換器（81）へ導入される。室内熱交換器（81）では、冷媒が室内空気から吸熱して蒸発する。つまり、室内熱交換器（81）では、室内空気が冷却される。
【００９７】
室内熱交換器（81）で蒸発した冷媒は、ガス側連絡管（17）を通って室外回路（20）へ流入する。この冷媒は、第１四方切換弁（21）を通過し、第１吸入管（43）を通って第１圧縮機（41）へ吸入される。第１圧縮機（41）は、吸入した冷媒を圧縮して再び吐出する。冷媒回路（15）では、このような冷媒の循環が繰り返される。
【００９８】
《第１暖房運転》
第１暖房運転時の動作について、図７を参照しながら説明する。この第１暖房運転は、外気温がそれ程低くない場合（例えば０℃以上の場合）に行われる。
【００９９】
第１暖房運転時において、第１四方切換弁（21）と第２四方切換弁（22）は、何れもオフ状態（図７に実線で示す状態）となる。この状態において、第１圧縮機（41）が運転され、第２圧縮機（42）が休止させられる。そして、冷媒回路（15）では、冷媒が循環し、いわゆる単段冷凍サイクルが行われる。
【０１００】
第１圧縮機（41）で圧縮された冷媒は、第１吐出管（44）へ吐出される。この冷媒は、第１四方切換弁（21）を通過してガス側連絡管（17）へ流入する。その後、この冷媒は、ガス側連絡管（17）を通って室内回路（80）へ流入し、室内熱交換器（81）へ導入される。室内熱交換器（81）では、冷媒が室内空気に放熱して凝縮する。つまり、室内熱交換器（81）では、室内空気が加熱される。
【０１０１】
室内熱交換器（81）で凝縮した冷媒は、液側連絡管（16）を通って室外回路（20）へ流入する。その後、この冷媒は、ブリッジ回路（30）の第２管路（32）を通ってレシーバ（24）へ流入する。レシーバ（24）から流出した液冷媒は、室外膨張弁（25）で減圧された後に、ブリッジ回路（30）の第４管路（34）を通って室外熱交換器（23）へ導入される。室外熱交換器（23）では、冷媒が室外空気から吸熱して蒸発する。
【０１０２】
室外熱交換器（23）で蒸発した冷媒は、第１四方切換弁（21）を通過して第１吸入管（43）へ流入し、第１圧縮機（41）へ吸入される。第１圧縮機（41）は、吸入した冷媒を圧縮して再び吐出する。冷媒回路（15）では、このような冷媒の循環が繰り返される。
【０１０３】
《第２暖房運転》
第２暖房運転時の動作について、図８を参照しながら説明する。この第２暖房運転は、外気温が比較的低い場合（例えば−２０℃〜０℃程度の場合）に行われる。
【０１０４】
第２暖房運転時において、第１四方切換弁（21）と第２四方切換弁（22）は、何れもオフ状態（図８に実線で示す状態）となる。この状態において、第１圧縮機（41）と第２圧縮機（42）の両方が運転される。そして、冷媒回路（15）では、冷媒が循環し、いわゆる二段冷凍サイクルが行われる。
【０１０５】
第１圧縮機（41）で圧縮された冷媒は、第１吐出管（44）へ吐出される。この冷媒は、第１四方切換弁（21）を通過してガス側連絡管（17）へ流入する。その後、この冷媒は、ガス側連絡管（17）を通って室内回路（80）へ流入し、室内熱交換器（81）へ導入される。室内熱交換器（81）では、冷媒が室内空気に放熱して凝縮する。つまり、室内熱交換器（81）では、室内空気が加熱される。
【０１０６】
室内熱交換器（81）で凝縮した冷媒は、液側連絡管（16）を通って室外回路（20）へ流入する。その後、この冷媒は、ブリッジ回路（30）の第２管路（32）を通ってレシーバ（24）へ流入する。レシーバ（24）から流出した液冷媒は、室外膨張弁（25）で減圧された後に、ブリッジ回路（30）の第４管路（34）を通って室外熱交換器（23）へ導入される。室外熱交換器（23）では、冷媒が室外空気から吸熱して蒸発する。
【０１０７】
室外熱交換器（23）で蒸発した冷媒は、第２四方切換弁（22）を通過して第２吸入管（45）へ流入し、第２圧縮機（42）へ吸入される。第２圧縮機（42）は、吸入した冷媒を圧縮する。第２圧縮機（42）で圧縮されて中間圧となった冷媒は、第２吐出管（46）へ吐出される。この中間圧の冷媒は、第２吐出管（46）から第１吸入管（43）を通って、第１圧縮機（41）へ吸入される。第１圧縮機（41）は、吸入した冷媒を圧縮し、圧縮されて高圧となった冷媒を吐出する。冷媒回路（15）では、このような冷媒の循環が繰り返される。
【０１０８】
《デフロスト運転》
デフロスト運転時の動作について説明する。このデフロスト運転は、室外熱交換器（23）に付着した霜を融かすための運転であって、第１暖房運転中や第２暖房運転中に適宜行われる。
【０１０９】
このデフロスト運転時において、冷媒回路（15）では、冷房運転時と全く同様に冷媒が循環する（図６参照）。つまり、このデフロスト運転では、いわゆる逆サイクルデフロストが行われる。
【０１１０】
具体的に、第１四方切換弁（21）と第２四方切換弁（22）は、何れもオン状態（図６に破線で示す状態）となる。この状態において、第１圧縮機（41）が運転され、第２圧縮機（42）が休止させられる。そして、第１圧縮機（41）から吐出された高温高圧の冷媒を室外熱交換器（23）へ導入し、この冷媒によって室外熱交換器（23）に付着した霜を融かす。
【０１１１】
【発明の効果】
本発明の空気調和装置（10）では、単段圧縮冷凍サイクルの行われる第１暖房運転と、２段圧縮冷凍サイクルの行われる第２暖房運転とが可能となっている。このため、外気温が極めて低くて単段圧縮冷凍サイクルでは必要な暖房能力が得られない場合には、第２暖房運転を行うことで充分な暖房能力を確保できる。その一方、外気温がそれ程低くなくて単段圧縮冷凍サイクルでも充分な暖房能力が得られる場合には、第１暖房運転を行うことで従来の空気調和装置（10）と同様のＣＯＰを得ることも可能である。従って、本発明によれば、外気温のそれ程低くない状態での暖房運転時における空気調和装置（10）のＣＯＰを低下させることなく、外気温の極めて低い状態でも充分な暖房能力を発揮させることができる。
【０１１２】
また、請求項４の発明によれば、室内熱交換器（81）で冷媒が吸熱した熱だけでなく、蓄熱器（65）の蓄熱媒体に蓄えられた熱をも利用して、室外熱交換器（23）のデフロストを行うことができる。このため、室外熱交換器（23）のデフロストに要する時間を短縮することが可能となる。従って、この請求項３の発明によれば、室内の暖房を休止せざるを得ないデフロスト運転に要する時間を短縮でき、室外熱交換器（23）のデフロストに伴う快適性の低下を抑制できる。
【図面の簡単な説明】
【図１】  実施形態１の空気調和装置における冷媒回路の構成及び冷房運転時の冷媒流通経路を示す配管系統図である。
【図２】  実施形態１の空気調和装置における第１暖房運転時の冷媒流通経路を示す配管系統図である。
【図３】  実施形態１の空気調和装置における第２暖房運転時の冷媒流通経路を示す配管系統図である。
【図４】  実施形態１の空気調和装置におけるデフロスト運転時の冷媒流通経路を示す配管系統図である。
【図５】  実施形態１の空気調和装置で第１圧縮機が故障した場合の暖房運転時における冷媒流通経路を示す配管系統図である。
【図６】  実施形態２の空気調和装置における冷媒回路の構成及び冷房運転時の冷媒流通経路を示す配管系統図である。
【図７】  実施形態２の空気調和装置における第１暖房運転時の冷媒流通経路を示す配管系統図である。
【図８】  実施形態２の空気調和装置における第２暖房運転時の冷媒流通経路を示す配管系統図である。
【符号の説明】
（15）  冷媒回路
（21）  第１四方切換弁（第１切換弁）
（22）  第２四方切換弁（第２切換弁）
（23）  室外熱交換器
（35）  接続管（配管）
（41）  第１圧縮機
（42）  第２圧縮機
（65）  蓄熱器
（81）  室内熱交換器
（93）  切換用逆止弁
（95）  切換用逆止弁
（100） 切換機構
【図１】
0003698132.tif 000002
【図２】
0003698132.tif 000003
【図３】
0003698132.tif 000004
【図４】
0003698132.tif 000005
【図５】
0003698132.tif 000006
【図６】
0003698132.tif 000007
【図７】
0003698132.tif 000008
【図８】
0003698132.tif 000009